(57)【要約】【課題】蓋部を開けてメイン画面を外部に露出させることなく、サブ画面のみによって、多くの情報を取得できる携帯端末装置を提供する。【解決手段】携帯電話機は、第１キャビネット１と第２キャビネット２とを備える。第２キャビネット２が開かれるとメイン画面が外部に臨む。携帯電話機には、ＬＥＤアレイからなるサブディスプレイ２３が内蔵され、サブディスプレイ２３が駆動されると、第２キャビネット２の外面に、サブ画面が現れる。さらに、サブディスプレイ２３の上方には、タッチセンサ２４が配されている。サブ画面に対する操作がタッチセンサ２４によって検知され、この検知に基づいて、サブ画面上の表示が切り替えられる。【選択図】図１
2010154099.tif 000002
【特許請求の範囲】
【請求項１】
蓋部を開けることによりメイン画面が外部に臨む携帯端末装置において、
前記蓋部を閉じた状態でサブ画面が外部に臨むように配されたサブ画面表示部と、
前記サブ画面に対する操作動作を検知する検知部と、
前記メイン画面と前記サブ画面の表示を制御する表示制御部とを備え、
前記表示制御部は、前記検知部による検知に基づいて前記サブ画面上の表示を切り替える、
ことを特徴とする携帯端末装置。     
【請求項２】
請求項１に記載の携帯端末装置において、
前記サブ画面表示部は、複数のＬＥＤを縦横に並べて配置したＬＥＤアレイを備え、
前記検知部は、前記ＬＥＤアレイ上に重ねて配されたタッチセンサを備える、
ことを特徴とする携帯端末装置。
【請求項３】
請求項１または２に記載の携帯端末装置において、
前記表示制御部は、前記蓋部が開放されるに応じて、開放前の前記サブ画面上の表示に関する表示を前記メイン画面上に行う、
ことを特徴とする携帯端末装置。
【請求項４】
請求項３に記載の携帯端末装置おいて、
前記表示制御部は、前記蓋部が開放されるに応じて、開放前の前記サブ画面上の表示から操作シーケンスに従って進めた表示を前記メイン画面上に行う、
ことを特徴とする携帯端末装置。
【請求項５】
請求項１ないし４の何れか一項に記載の携帯端末装置において、
前記サブ画面に対する操作動作に応じて前記サブ画面上の表示に関する機能を実行する機能制御部をさらに備える、
ことを特徴とする携帯端末装置。
【請求項６】
請求項１ないし５の何れか一項に記載の携帯端末装置において、
前記表示制御部は、前記サブ画面上を一方向に情報が流れるように表示を行うとともに、前記サブ画面に対する操作動作に応じて前記情報の流れ方を変化させる、
ことを特徴とする携帯端末装置。
【請求項７】
蓋部を開けることによりメイン画面が外部に臨む携帯端末装置において、
前記蓋部を閉じた状態でサブ画面が外部に臨むように配されたサブ画面表示部と、
前記サブ画面に対する操作動作を検知する検知部と、
前記メイン画面と前記サブ画面の表示を制御する表示制御部とを備え、
前記表示制御部は、前記サブ画面上を一方向に情報が流れるように表示を行うとともに、前記サブ画面に対する操作動作に応じて前記情報の流れ方を変化させる、
ことを特徴とする携帯端末装置。
【請求項８】
蓋部を開けることによりメイン画面が外部に臨む携帯端末装置において、
前記蓋部を閉じた状態でサブ画面が外部に臨むように配されたサブ画面表示部と、
前記サブ画面に対する操作動作を検知する検知部と、
前記サブ画面に対する操作動作に応じて前記サブ画面上の表示に関する機能を実行する機能制御部と、を備える、
ことを特徴とする携帯端末装置。
【発明の詳細な説明】
【技術分野】
【０００１】
本発明は、携帯電話機やＰＤＡ（Personal Digital Assistant）等の携帯端末装置に関するものである。
【背景技術】
【０００２】
従来、蓋部を開閉可能な折りたたみ式の携帯電話機が商品化されている。この種の携帯電話機では、折り畳まれるとメイン画面が外部から隠れた状態となる。そこで、この種の携帯電話機では、メイン画面よりも小さなサブ画面、あるいは簡易なサブ画面が、折り畳まれた状態のキャビネットの外側面に配置され、メイン画面が隠れた状態においても、サブ画面にある程度の情報が表示されるようになされている（たとえば、特許文献１参照）。
【０００３】
従来、サブ画面は液晶パネルによって構成されていたが、液晶パネルに替えて、ＬＥＤをマトリクス状に配置したＬＥＤアレイによってサブ画面を構成することもできる。このようにＬＥＤアレイを用いる場合には、携帯電話機の外観をすっきりとしたデザインとすることができる。ＬＥＤアレイは、非点灯時では目立たないため、携帯電話機外部のデザイン性を損ない難い。また、バックライト装置が不要であるため、液晶パネルに比べて薄型化・低コスト化を実現できる。
【特許文献１】特開２００７−１２４３８４号公報
【発明の開示】
【発明が解決しようとする課題】
【０００４】
しかしながら、サブ画面はメイン画面に比べて数段小さかったり、簡易であったりするため、サブ画面に表示される情報は、その量が自ずと制約される。特に、ＬＥＤアレイによってサブ画面が構成される場合には、１つのＬＥＤが１画素を構成するため、同じサイズの液晶パネルに比べると、総画素数が極めて少なくなる。このため、サブ画面からユーザに提示できる情報は、液晶パネルに比べるとかなり少なくなる。
【０００５】
このように、ユーザは、サブ画面からはそれほど多くの情報を得ることができず、より多くの情報を得ようとする場合には、逐次、携帯電話機の蓋部を開けてメイン画面を外部に露出させ、メイン画面上に所望の情報を表示させる必要があった。
【０００６】
また、従来のサブ画面は、所定の情報を表示するのみであり、その情報に基づいた何らかの操作を行えるものではなかった。このため、ユーザは、サブ画面を見て所定の機能（たとえば、受信メール内容（本文）の表示等）を実行させようとする場合には、携帯電話機の蓋部を開けてメイン画面を外部に露出させた上で、所定の操作を行う必要があった。
【０００７】
本発明は、このような課題に鑑みてなされたものであり、蓋部を開けてメイン画面を外部に露出させることなく、サブ画面のみによって、多くの情報を取得でき、さらには、所定の機能を実行させ得る携帯端末装置を提供することを目的とする。
【課題を解決するための手段】
【０００８】
本発明の第１の態様は、蓋部を開けることによりメイン画面が外部に臨む携帯端末装置に関する。本態様に係る携帯端末装置は、前記蓋部を閉じた状態でサブ画面が外部に臨むように配されたサブ画面表示部と、前記サブ画面に対する操作動作を検知する検知部と、前記メイン画面と前記サブ画面の表示を制御する表示制御部とを備える。ここで、前記表示制御部は、前記検知部による検知に基づいて前記サブ画面上の表示を切り替える。
【０００９】
本態様に係る携帯端末装置によれば、ユーザが、サブ画面に対して所定の操作を行うことにより、サブ画面上の表示が切り替わる。したがって、ユーザは、蓋部を開けてメイン画面を外部に露出させなくとも、サブ画面のみによって、多くの情報を取得できる。
【００１０】
なお、前記サブ画面表示部は、複数のＬＥＤ（Light Emitting Diode）を縦横に並べて配置したＬＥＤアレイを備える構成をすることができ、前記検知部は、前記ＬＥＤアレイ上に重ねて配されたタッチセンサを備える構成とすることができる。
【００１１】
ＬＥＤアレイは、非点灯状態では目立たない。よって、この構成によれば、携帯端末装置外部のデザイン性が損なわれ難く、液晶パネルを用いる場合に比べ、携帯端末装置のデザイン性を高めることができる。また、ＬＥＤアレイにはバックライト装置が不要であるため、薄型化・低コスト化を実現できる。さらに、ＬＥＤは光の指向性に優れるため、液晶パネルを用いる場合に比べ、サブ画面による表示の視認性を高めることができる。
【００１２】
なお、このようにＬＥＤアレイを用いた場合には、液晶パネルを用いる場合に比べ、サブ画面による情報量が少なくなり易い。しかし、本態様に係る携帯端末装置によれば、サブ画面の表示をユーザ任意に切り替えることができるため、サブ画面表示のためにＬＥＤアレイを用いても、ユーザは多くの情報を取得することができる。
【００１３】
本態様の携帯端末装置において、前記表示制御部は、前記蓋部が開放されるに応じて、開放前の前記サブ画面上の表示に関する表示を前記メイン画面上に行う構成とされ得る。
【００１４】
この構成によれば、ユーザは、蓋部を開放するのみで、開放前のサブ画面上の表示に関する表示を、メイン画面において確認することができる。よって、ユーザの利便性を高めることができる。
【００１５】
この場合、より望ましくは、前記表示制御部は、前記蓋部が開放されるに応じて、開放前の前記サブ画面上の表示から操作シーケンスに従って進めた表示を前記メイン画面上に行う構成とされ得る。
【００１６】
こうすると、蓋部の開放後に別途操作入力を行わずとも、サブ画面上の表示よりも操作シーケンスにおいて進んだ表示がメイン画面上に表示されるので、ユーザの利便性さらに高めることができる。
【００１７】
本態様の携帯端末装置は、前記サブ画面に対する操作動作に応じて前記サブ画面上の表示に関する機能を実行する機能制御部をさらに備える構成とされ得る。
【００１８】
このような構成とすれば、ユーザは、蓋部を開けてメイン画面を外部に露出させなくとも、サブ画面の表示に関する所定の機能を実行させることができるので、ユーザの利便性をさらに高めることができる。
【００１９】
本態様の携帯端末装置において、さらに、前記表示制御部は、前記サブ画面上を一方向に情報が流れるように表示を行うとともに、前記サブ画面に対する操作動作に応じて前記情報の流れ方を変化させる構成とされ得る。
【００２０】
このように、サブ画面上を一方向に情報が流れると、ユーザはサブ画面を見るだけで多くの情報を取得することができる。しかも、ユーザは、サブ画面に対して所定の操作を行うことにより、情報の流れ方を変化させることができるので、不要な情報があれば、流れを速めてその情報を飛ばしたり、重要な情報があれば、流れを遅らせあるいは停止させてその情報をじっくりと確認したりでき、サブ画面上を流れる情報を円滑に取得することができる。
【００２１】
本発明の第２の態様は、蓋部を開けることによりメイン画面が外部に臨む携帯端末装置に関する。本態様に係る携帯端末装置は、前記蓋部を閉じた状態でサブ画面が外部に臨むように配されたサブ画面表示部と、前記サブ画面に対する操作動作を検知する検知部と、前記メイン画面と前記サブ画面の表示を制御する表示制御部とを備える。ここで、前記表示制御部は、前記サブ画面上を一方向に情報が流れるように表示を行うとともに、前記サブ画面に対する操作動作に応じて前記情報の流れ方を変化させる。
【００２２】
本態様に係る携帯端末装置によれば、サブ画面上を一方向に情報が流れるため、ユーザはサブ画面を見るだけで多くの情報を取得することができる。しかも、ユーザは、サブ画面に対して所定の操作を行うことにより、情報の流れ方を変化させることができるので、サブ画面上を流れる情報を円滑に取得することができる。
【００２３】
本発明の第３の態様は、蓋部を開けることによりメイン画面が外部に臨む携帯端末装置に関する。本態様に係る携帯端末装置は、前記蓋部を閉じた状態でサブ画面が外部に臨むように配されたサブ画面表示部と、前記サブ画面に対する操作動作を検知する検知部と、前記サブ画面に対する操作動作に応じて前記サブ画面上の表示に関する機能を実行する機能制御部とを備える。
【００２４】
本態様に係る携帯端末装置によれば、ユーザは、蓋部を開けてメイン画面を外部に露出させなくとも、サブ画面の表示に関する所定の機能を実行させることができるので、ユーザの利便性を高めることができる。
【発明の効果】
【００２５】
以上のとおり、本発明によれば、蓋部を開けてメイン画面を外部に露出させることなく、サブ画面のみによって、多くの情報を取得でき、さらには、所定の機能を実行させ得る携帯端末装置を提供することができる。
【００２６】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【発明を実施するための最良の形態】
【００２７】
以下、本発明の実施の形態につき図面を参照して説明する。図１は携帯電話機の外観構成を示す図であり、同図（ａ）は、第１キャビネット１に対して第２キャビネット２をほぼ鉛直に立てた状態を示す携帯電話機の側面図、同図（ｂ）は折り畳んだ状態での携帯電話機の正面図である。また、同図（ｃ）は、サブディスプレイ２３およびタッチセンサ２４の構成を示す第２キャビネット２の透視図である。
【００２８】
携帯電話機は、第１キャビネット１と第２キャビネット２を備える。第１キャビネット１の正面側には、キー操作部１１が設けられている。キー操作部１１には、各種の機能モード（カメラ撮影モード、メール送受信モード、インターネットモード）への切替えキー、通話開始キー、通話終了キー、番号・文字入力キーなどの各種キーが配されている。
【００２９】
キー操作部１１の背後には、バックライト装置１２（以下、「キーバックライト」という）が配されている。キーバックライト１２は、光源となるＬＥＤを備え、キー操作部１１に光を供給する。キー操作部１１の主要なキーは、キーに付された表示の部分が透光性を有するよう構成されており、キーバックライト１２で照らされることにより表示が光る。これにより、ユーザは、周囲が暗くてもキーに付された表示を見ることができる。
【００３０】
第１キャビネット１の内部には、カメラモジュール１３が配されている。カメラモジュール１３のレンズ窓（図示せず）は、第１キャビネット１の背面に臨んでおり、このレンズ窓から被写体の像がカメラモジュール１３に取り込まれる。
【００３１】
第２キャビネット２の正面側には、縦長の矩形状を有するメインディスプレイ２１が配されており、その表示画面（以下、「メイン画面」という）が正面に臨んでいる。メインディスプレイ２１は、たとえば、液晶パネルや有機ＥＬなどを用いて構成することができる。メインディスプレイ２１の背後には、バックライト装置２２（以下、「メインバックライト」という）が配されている。メインバックライト２２は、光源となるＬＥＤを備え、メインディスプレイ２１に光を供給する。
【００３２】
第２キャビネット２内における背面側には、サブディスプレイ２３が配されている。サブディスプレイ２３は、メインディスプレイ２１よりも小さなサイズであり、横長の矩形状を有している。
【００３３】
サブディスプレイ２３は、ＬＥＤアレイであり、同図（ｃ）に示すように、マトリクス状に配列された多数のＬＥＤ２３ａにより構成されている。ＬＥＤ２３ａは、多色発光タイプとすることもできるし、単色発光タイプとすることもできる。サブディスプレイ２３の表示面（ＬＥＤアレイの発光面）は、第２キャビネット２背面から外部には臨んではいないが、ＬＥＤ２３ａが発光すると、その光が第２キャビネット２を透過し、これによって、第２キャビネット２の背面上にサブディスプレイ２３による表示が映し出される。したがって、第２キャビネットの背面におけるサブディスプレイ２３に対応する領域が表示画面（以下、「サブ画面」という）として機能することとなる。
【００３４】
サブディスプレイ２３の表示面側には、シート状のタッチセンサ２４が配されている。タッチセンサ２４は、たとえば、静電式のタッチセンサであって、無数の検出素子がマトリクス状に配された構成を有する。なお、これとは異なる構造の静電式タッチセンサを用いることも可能である。あるいは、感圧式等、他の方式のタッチセンサを用いることもできる。
【００３５】
第２キャビネット２背面におけるタッチセンサ２４に対応する領域がユーザによって触れられると、静電容量の変化によって、触れられた位置に応じた検出信号がタッチセンサ２４から出力される。
【００３６】
第２キャビネット２は、ヒンジ部３によって、第１キャビネット１に対し回動可能に連結されている。ヒンジ部３は、第２キャビネット２の連結側端部から左右に延びる一対の回転軸３１と、第１キャビネット１の連結側端部に形成され、回転軸３１を受ける一対の軸受部３２とを備えている。
【００３７】
第１キャビネット１と第２キャビネット２は、メインディスプレイ２１とキー操作部１１が向かい合った状態となるように折り畳まれる。よって、折り畳まれた状態（閉じた状態）では、メインディスプレイ２１のメイン画面とキー操作部１１が外部から隠れた状態となる。
【００３８】
第２キャビネット２は、閉じた状態（図１（ａ）に一点鎖線で示す）から開き方向に回転されることにより、１８０度近くまで開くことができる。ヒンジ部３には、第２キャビネット２が最後まで開いた位置と、第１キャビネット１と第２キャビネット２とが略９０度となる位置（９０度よりやや大きい角度位置）にクリック感を持たせるよう、図示しないクリック機構が備えられている。第２キャビネット２が開くと、メインディスプレイ２１のメイン画面とキー操作部１１が外部に露出する。
【００３９】
第１キャビネット１と第２キャビネット２には、第２キャビネット２の開閉を検出するための開閉検出部４が配されている。開閉検出部４は、第１キャビネット１側に設けられた閉センサ４１と、第２キャビネット２側に設けられた磁石４２によって構成されている。磁石４２は、第２キャビネット２のヒンジ部３近傍に配されており、閉センサ４１は、第２キャビネット２が完全に閉じたときに、磁石４２に近接する位置に配されている。
【００４０】
閉センサ４１は、たとえば、ＭＲセンサ（磁気抵抗素子）で構成され、磁石４２の磁力に反応して検出信号を出力する。第２キャビネット２が閉じた状態から開いた状態となると、閉センサ４１からオフ信号が出力される。反対に、第２キャビネット２が開いた状態から閉じた状態になると、閉センサ４１からオン信号が出力される。
【００４１】
図２は、携帯電話機の全体構成を示すブロック図である。本実施の形態の携帯電話機は、上述した各構成要素の他、ＣＰＵ１００、映像エンコーダ１０１、マイク１０２、音声エンコーダ１０３、通信モジュール１０４、メモリ１０５、バックライト駆動回路１０６、映像デコーダ１０７、ＬＥＤ駆動回路１０８、音声デコーダ１０９、スピーカ１１０を備えている。
【００４２】
カメラモジュール１３は、撮像レンズ１３ａ、撮像素子１３ｂなどから構成されている。撮像レンズ１３ａは、被写体の像を撮像素子１３ｂ上に結像させる。撮像素子１３ｂは、例えばＣＣＤからなり、取り込んだ画像に応じた撮像信号を生成し、映像エンコーダ１０１へ出力する。映像エンコーダ１０１は、撮像素子１３ｂからの撮像信号を、ＣＰＵ１００が処理できるディジタルの撮像信号に変換してＣＰＵ１００へ出力する。
【００４３】
マイク１０２は、音声信号を電気信号に変換して音声エンコーダ１０３へ出力する。音声エンコーダ１０３は、マイク１０２からの音声信号を、ＣＰＵ１００が処理できるディジタルの音声信号に変換してＣＰＵ１００へ出力する。
【００４４】
通信モジュール１０４は、ＣＰＵ１００からの音声信号や画像信号、テキスト信号などを無線信号に変換し、アンテナ１０４ａを介して基地局へ送信する。また、アンテナ１０４ａを介して受信した無線信号を音声信号や画像信号、テキスト信号などに変換してＣＰＵ１００へ出力する。
【００４５】
メモリ１０５は、ＲＯＭおよびＲＡＭを含む。メモリ１０５には、ＣＰＵ１００に制御機能を付与するための制御プログラムが記憶されている。また、メモリ１０５には、カメラモジュール１３で撮影した画像データや通信モジュール１０４を介して外部から取り込んだ画像データ、テキストデータ（メールデータ）などが所定のファイル形式で保存される。
【００４６】
バックライト駆動回路１０６は、ＣＰＵ１００からの制御信号に応じた電圧信号をメインバックライト２２およびキーバックライト１２に供給する。
【００４７】
映像デコーダ１０８は、ＣＰＵ１００からの映像信号をメインディスプレイ２１で表示できるアナログの映像信号に変換し、メインディスプレイ２１に出力する。
【００４８】
ＬＥＤ駆動回路は１０８、ＣＰＵ１００から出力される制御信号に従ってサブディスプレイ２３の各ＬＥＤ２３ａを駆動する。
【００４９】
音声デコーダ１０９は、ＣＰＵ１００からの音声信号をスピーカ１１０で出力できるアナログの音声信号に変換し、スピーカ１１０に出力する。スピーカ１１０は、音声デコーダ１０９からの音声信号を音声として再生する。
【００５０】
ＣＰＵ１００は、カメラモジュール１３、マイク１０２、キー操作部１１、タッチセンサ２４など各部からの入力信号に基づいて、通信モジュール１０４、映像デコーダ１０７、ＬＥＤ駆動回路１０８、音声デコーダ１０９などの各部に制御信号を出力することにより、各種の機能モードの処理を行う。
【００５１】
たとえば、ＣＰＵ１００は、第２キャビネット２が閉じていてメイン画面が外部から隠れた状態において、サブディスプレイ２３を駆動することにより、サブ画面上に種々の情報を表示させる。そして、サブ画面に対する所定の操作がタッチセンサ２４によって検出されると、サブ画面上の表示の切り替えやサブ画面上の表示に関連する機能の実行を行う。
【００５２】
以下、サブ画面を用いて行われる各種操作について説明する。
【００５３】
＜初期画面から機能画面への切り替え操作＞
図３は、初期画面からの表示の切り替えに関する処理フローを示す図である。また、図４は、初期画面からの表示の切り替え操作について説明するための図である。
【００５４】
ユーザは、初期画面が表示された状態（たとえば、時刻表示）から、サブ画面を指等でなぞることにより、新着メールに関する情報表示や電話の不在着信の情報表示等、所望の機能を実行するための画面（以下、「機能画面」という）へ表示を切り替えることができる。
【００５５】
即ち、ＣＰＵ１００は、まず、サブ画面上に初期画面を表示し（Ｓ１０１）、サブ画面が指等で上から下へなぞられたか否かを判定する（Ｓ１０２）。ＣＰＵ１００は、たとえば、タッチセンサ２４によって接触位置が上から下へ移動したことが検出されると、サブ画面が上から下へなぞられたと判定する。
【００５６】
ＣＰＵ１００は、サブ画面が上から下へなぞられたと判定すると（Ｓ１０２：ＹＥＳ）、初期画面の次に用意されている機能画面を表示する（Ｓ１０３）。たとえば、新着メールの件数に関する画面を表示する（図４参照）。
【００５７】
次に、サブ画面が指等でタップされたか否かを判定する（Ｓ１０４）。ＣＰＵ１００は、たとえば、サブ画面上の任意の位置が短時間だけ触れられたことがタッチセンサ２４によって検出されると、サブ画面がタップされたと判定する。
【００５８】
ＣＰＵ１００は、サブ画面がタップされたと判定すると（Ｓ１０４：ＹＥＳ）、その機能画面に基づく表示制御を行う。たとえば、機能画面が、新着メールの件数を表示する画面であれば、新着メールの送信者名を表示する。
【００５９】
一方、サブ画面がタップされなければ（Ｓ１０４：ＮＯ）、ＣＰＵ１００は、サブ画面が指等で上から下へなぞられたか否かを判定する（Ｓ１０６）。そして、サブ画面が上から下へなぞられたと判定すると（Ｓ１０６：ＹＥＳ）、Ｓ１０３の処理に戻って、さらに次の機能画面を表示する。たとえば、ＣＰＵ１００は、次の機能画面として電話の不在着信の件数に関する画面を表示する（図４参照）。ＣＰＵ１００は、この機能画面において、サブ画面がタップされたと判定すれば（Ｓ１０４：ＹＥＳ）、この機能画面に基づく表示制御を行う（Ｓ１０５）。たとえば、機能画面が、電話の不在着信の件数を表示する画面であれば、不在着信の発信者名を表示する。
【００６０】
このようにして、サブ画面が上から下へなぞられる度に、順次、機能画面が切り替えられていき、サブ画面がタップされれば、そのときの機能画面に基づく表示制御が行われる。
【００６１】
＜新着メール情報の表示に係る操作＞
図５は、新着メール情報の表示を行うための処理フローを示す図である。また、図６は、新着メール情報の表示を行うための操作について説明するための図である。
【００６２】
ユーザは、上述した新着メールの件数に関する画面（図４の中段）が表示されているときに、さらに詳しいメール情報が見たいと思った場合、サブ画面をタップする。
【００６３】
このように、ユーザによってサブ画面がタップされると、ＣＰＵ１００は、図３のＳ１０５へと進み、図５に示す処理フローを実行する。このとき、ＣＰＵ１００は、まず、新着メールの送信者名をサブ画面に表示する（Ｓ２０１）。新着メールが複数あれば着信日時の一番早い送信者の名前が表示される（図６参照）。
【００６４】
次に、ＣＰＵ１００は、サブ画面が上から下へなぞられたか否かを判定するとともに（Ｓ２０２）、第２キャビネット２が開放されたか否か、即ち、メインディスプレイ２１のメイン画面が外部に臨む状態となったか否かを判定する（Ｓ２０５）。
【００６５】
ＣＰＵ１００は、サブ画面がなぞられたと判定すると（Ｓ２０２：ＹＥＳ）、次の送信者がいるか否かを判定する（Ｓ２０３）。そして、次の送信者がいれば（Ｓ２０３：ＹＥＳ）、次の送信者名をサブ画面に表示する（Ｓ２０４；図６参照）。なお、次の送信者がいなければ（Ｓ２０３：ＮＯ）、サブ画面の表示を切り替えない。
【００６６】
ユーザは、サブ画面に表示された送信者の電子メールの内容を見たいと思った場合、第２キャビネット２を開いてメイン画面を外部に露出させる。
【００６７】
ＣＰＵ１００は、第２キャビネット２が開放されたと判定すると（Ｓ２０５：ＹＥＳ）、サブ画面に表示されていた送信者の電子メールの内容（本文）をメイン画面に表示させる（Ｓ２０６）。
【００６８】
なお、ユーザは、第２キャビネット２を開放する前にサブ画面を下から上へなぞることで、サブ画面の表示を前の表示に戻すことができる。たとえば、図６の左下段の表示が行われている状態でサブ画面が下から上へなぞられると、下から上へなぞられる毎に、ＣＰＵ１００は、サブ画面の表示を２番目の送信者名（山田さん）から１番目の送信者名（田中さん）、新着メールの件数（メール２）へと、順次、画面を戻す処理を実行する。
【００６９】
また、図７（ａ）に示すように、第２キャビネット２が開放される前にサブ画面に新着メールの件数が表示されている状態において、第２キャビネット２が開放されると、ＣＰＵ１００は、同図下段に示す如く、メイン画面に新着メールの一覧を表示する処理を実行する。
【００７０】
さらに、図７（ｂ）に示すように、第２キャビネット２が開放される前にサブ画面に送信者名が表示されている状態において、サブ画面が左右どちらか一方向になぞられると、その電子メールが削除されるようにすることもできる。
【００７１】
＜不在着信情報の表示に係る操作＞
図８は、不在着信情報の表示を行うための処理フローを示す図である。また、図９は、不在着信情報の表示を行うための操作について説明するための図である。
【００７２】
ユーザは、図４下段の不在着信の件数に関する画面が表示されているときに、さらに詳しい情報が見たいと思った場合、サブ画面をタップする。
【００７３】
このように、ユーザによってサブ画面がタップされると、ＣＰＵ１００は、図３のＳ１０５へと進み、図８に示す処理フローを実行する。このとき、ＣＰＵ１００は、まず、発信者名をサブ画面に表示する（Ｓ３０１）。不在着信の件数が複数あれば着信日時の一番早い発信者の名前が表示される（図９参照）。
【００７４】
次に、ＣＰＵ１００は、サブ画面が上から下へなぞられると（Ｓ３０２：ＹＥＳ）、次の発信者がいれば（Ｓ３０３：ＹＥＳ）、次の発信者をサブ画面に表示する（Ｓ３０４；図９参照）。
【００７５】
ユーザは、サブ画面に表示された発信者に電話を掛けたいと思った場合、第２キャビネット２を開いてメイン画面を外部に露出させる。
【００７６】
ＣＰＵ１００は、第２キャビネット２が開放されたと判定すると（Ｓ３０５：ＹＥＳ）、開放前にサブ画面に表示されていた発信者の氏名と電話番号をメイン画面に表示させる（Ｓ３０６）。そして、ユーザによって通話開始キーが操作されると（Ｓ３０７：ＹＥＳ）、電話の発信処理を行う（Ｓ３０８）。
【００７７】
＜セキュリティーロックモードの設定・解除操作＞
本実施の形態の携帯電話機は、セキュリティーロックモードの機能を備えており、ユーザは、サブ画面を用いて、モード設定・解除の操作を行うことができる。
【００７８】
図１０は、セキュリティーロックモードの設定・解除操作について説明するための図である。同図（ａ）は、セキュリティーロックモードを設定するため画面を示し、同図（ｂ）は、セキュリティーロックモードを解除するための画面を示す。
【００７９】
図３および図４にて説明した機能画面の１つにセキュリティーロックモードのための機能画面（たとえば、錠前のマーク表示）が用意されている。その機能画面が表示された状態でサブ画面がタップされると、モードが解除されている状態であれば、同図（ａ）に示す設定操作のための画面が表示され、モードが設定されている状態であれば、同図（ｂ）に示す解除操作のための画面が表示される。
【００８０】
同図（ａ）の画面が表示された状態で、ユーザがサブ画面を左から右（鍵から鍵穴の方向）へなぞると、ＣＰＵ１００によって、セキュリティーロックモードが設定される。これにより、その後はキー操作部１１のキー操作が無効となる。
【００８１】
一方、同図（ｂ）の画面が表示された状態で、ユーザがサブ画面を右から左（鍵穴から鍵を外す方向）へなぞると、ＣＰＵ１００によって、セキュリティーロックモードが解除される。これにより、その後はキー操作部１１のキー操作が有効となる。
【００８２】
＜ミュージックモードにおける操作＞
本実施の形態の携帯電話機は、音楽を再生する機能（ミュージックモード）を備えている。ユーザは、通信モジュール１０４を介して各種の音楽サイトから楽曲をダウンロードすることができる。ダウンロードされた楽曲は、メモリ１０５に保存される。ミュージックモードにおいて、ＣＰＵ１００は、ユーザの操作に基づいて、メモリ１０５から楽曲を読み出し、ヘッドフォン（図示せず）により再生する。
【００８３】
図１１は、ミュージックモードにおける操作について説明するための図である。同図（ａ）は、音楽の再生に係る操作を行うための画面を示し、同図（ｂ）は、音量の調整操作を行うための画面を示す。
【００８４】
図３および図４にて説明した機能画面の１つにミュージックモードのための機能画面（たとえば、音符のマーク表示）が用意されており、その機能画面が表示された状態でサブ画面がタップされると、図１１に示す操作画面が表示される。
【００８５】
同図（ａ）は、音楽の再生に係る操作画面であり、一例として、音楽再生中の表示が示されている。この画面では、中央に一時停止ボタン、左右に送りボタンと戻りボタンが表示されている。たとえば、ユーザは、中央の一時停止ボタンをタップすることで、音楽再生を停止することができ、送りボタンや戻りボタンをタップすることで、次の楽曲に送ったり前の楽曲に戻したりすることができる。
【００８６】
同図（ｂ）は、音量の調整に係る操作画面である。この画面において、ユーザが、サブ画面を右から左になぞると、なぞった距離に応じて音量が増加され、サブ画面を左から右になぞると、なぞった距離に応じて音量が減少される。
【００８７】
なお、これら２つの操作画面の切り替えは、たとえば、サブ画面を上下になぞることにより行われる。これらミュージックモードにおける制御は、タッチセンサ２４からの出力をもとにＣＰＵ１００によって行われる。
【００８８】
＜電話着信時の操作＞
ユーザは、電話の着信中、サブ画面を用いて、ハンズフリー機能の起動操作や着信拒否の実行操作を行なうことができる。
【００８９】
図１２は、電話着信時の操作に関する処理フローを示す図である。また、図１３は、電話着信時に行われる操作について説明するための図である。同図（ａ）は、ハンズフリー機能を起動するための操作を示し、同図（ｂ）は、着信拒否を行うための操作を示す。
【００９０】
ＣＰＵ１００は、電話の着信があると（Ｓ４０１：ＹＥＳ）、コール音とともに電話の受信中である表示をサブ画面に表示する。たとえば、図１３に示すように、受信中であることを示すマークを表示し、さらに、電話番号と氏名が登録されている発信者であれば、発信者名を表示する。
【００９１】
次に、ＣＰＵ１００は、サブ画面がタップされたか否か、または、左右どちらか一方向へなぞられたか否かを判定する（Ｓ４０３、Ｓ４０５）。
【００９２】
ユーザは、携帯電話機を持って話せないような状況にあり、ハンズフリー機能を起動させたい場合には、サブ画面をタップする（図１３（ａ）参照）。
【００９３】
ＣＰＵ１００は、サブ画面がタップされたと判定すると（Ｓ４０３：ＹＥＳ）、ハンズフリー機能を起動する（Ｓ４０４）。これにより、電話がつながるとともに、外部報知用のスピーカから相手の音声が出力される。これにより、ユーザは携帯電話機を持たずに相手と話すことができる。
【００９４】
一方、ユーザは、何らかの理由により、この電話の着信を拒否したい場合には、サブ画面を左右どちらか一方向になぞる（図１３（ｂ）参照）。
【００９５】
ＣＰＵ１００は、左右どちらか一方向へなぞられたと判定すると（Ｓ４０５：ＹＥＳ）、着信拒否を実行する（Ｓ４０６）。これにより、この電話の着信が拒否される。この場合、たとえば、発信相手に電話に出ることができない旨の音声メッセージが自動送信されても良い。また、このときの着信は、上述した不在着信となりその履歴が残る。
【００９６】
＜スクロール表示に関する操作＞
本実施の形態の携帯電話機では、サブ画面上を一方向に情報（文字列等）が流れるような表示（以下、「スクロール表示」）にサブ画面の表示を設定することができる。サブ画面をスクロール表示とした場合には、ユーザからの操作を要求することなくサブディスプレイ２３に多くの情報を表示することが可能となる。
【００９７】
スクロール表示では、情報が一定の速さでサブ画面を流れていくことになるが、情報によっては、ユーザにとってあまり見る必要がないものがあったり、じっくりと見たいものがあったりする。そこで、本実施の形態では、サブ画面に対し所定を操作することで、情報の流れ方が変化するよう表示制御がなされる。
【００９８】
図１４は、スクロール表示の流れを変更するための処理フローを示す図である。また、図１５は、スクロール表示の流れを変更するための操作について説明するための図である。図１５（ａ）は、情報の流れを加速させる操作を示し、図１５（ｂ）は、情報の流れを減速させる操作を示し、図１５（ｃ）は、情報の流れを停止させる操作を示す。
【００９９】
予めスクロール表示の設定がなされている場合、ＣＰＵ１００は、サブ画面にスクロール表示を行う（Ｓ５０１）。たとえば、新着メール情報を表示する場合には、図３において説明したように、初期画面において上から下へなぞる操作がなされると、図１５に示すような新着メール情報が流れる。なお、初期画面からの操作によらず、電子メールが着信すると自動的に新着メール情報がスクロール表示されるようにすることもできる。
【０１００】
ＣＰＵ１００は、サブ画面が、情報の流れと順方向になぞられたか否か、情報の流れと逆方向へなぞられたか否か、あるいはタップされたか否かを判定する（Ｓ５０２、Ｓ５０４、Ｓ５０６）。そして、サブ画面が順方向へなぞられたと判定すると（Ｓ５０２：ＹＥＳ）、情報の流れを速くし（Ｓ５０３；図１５（ａ）参照）、サブ画面が逆方向へなぞられたと判定すると（Ｓ５０４：ＹＥＳ）、情報の流れを遅くする（Ｓ５０５；図１５（ｂ）参照）。また、サブ画面がタップされたと判定すると（Ｓ５０６：ＹＥＳ）、情報の流れを停止させる（Ｓ５０７；図１５（ｃ）参照）。
【０１０１】
このように情報が流れる状態をユーザ任意により調節できるようにすると、ユーザの利便性を高めることができる。
【０１０２】
以上、本実施の形態によれば、サブ画面に対する操作動作をタッチセンサ２４によって検出し、この検出に基づいてサブ画面の表示を切り替えるようにしたので、サブ画面によって、多くの情報を表示することが可能となる。たとえば、新着メールの件数のみならず、その送信者までをも表示することができ、さらに、他の機能による情報の表示をも行うことができる。
【０１０３】
したがって、ユーザは、第２キャビネット２を開けてメイン画面を外部に露出させなくとも、サブ画面に対し適宜操作を行うことにより、サブ画面のみによって、多くの情報を取得することができる。よって、本実施の形態に係る携帯電話機によれば、ユーザの利便性を高めることができる。
【０１０４】
特に、サブディスプレイ２３にＬＥＤアレイを用いた場合には、バックライト装置が不要となり携帯電話機を薄型化できる。また、サブ画面が目立たないため、デザイン性が良くなる等のメリットがある。さらに、ＬＥＤは光の指向性に優れるため、液晶パネルを用いる場合に比べ、サブ画面による表示の視認性を高めることができる。
【０１０５】
なお、このようにサブディスプレイ２３にＬＥＤアレイを用いた場合には、個々のＬＥＤが一つの画素となるため、液晶パネルを用いる場合に比べると、サブ画面による情報量が少なくなり易い。しかし、本実施の形態によれば、上記の如く、サブ画面の表示をユーザ任意に切り替えることができるため、このようにサブディスプレイ２３にＬＥＤアレイを用いても、ユーザは多くの情報を取得することができる。
【０１０６】
また、本実施の形態によれば、第２キャビネット２が開かれると、サブ画面の表示に関する表示がメイン画面に表示される。たとえば、サブ画面に電子メールの送信者名が表示されていれば、その電子メールの本文がメイン画面に表示される。また、サブ画面に電話の発信者が表示されていれば、その発信者の電話番号等がメイン画面に表示される。
【０１０７】
このように、本実施の形態において、ユーザは、第２キャビネット２を開放するのみで、開放前のサブ画面上の表示に関する表示を、より大きなメイン画面において確認することができる。しかも、サブ画面上の表示（メール送信者の表示）よりも操作シーケンスにおいて進んだ表示（メール本文の表示）がメイン画面上に表示されるので、ユーザは、第２キャビネット２の開放することで、サブ画面上の表示よりも進んだ表示を見ることができる。よって、本実施の形態によれば、ユーザの利便性を高めることができる。
【０１０８】
さらに、本実施の形態によれば、ユーザは、第２キャビネット２を開けてメイン画面を外部に露出させなくとも、サブ画面上で各種の機能を実行することができる。たとえば、セキュリティーモードの設定・解除、音楽再生に関する操作、あるいはハンズフリーや着信拒否を行うための操作を、サブ画面に対する操作によって行うことができる。したがって、本実施の形態によれば、ユーザの利便性をさらに高めることができる。
【０１０９】
さらに、本実施の形態では、サブ画面上を一方向に情報が流れる表示設定（図１５参照）が可能であるため、ユーザは、かかる表示制御を用いることにより、サブ画面を見るだけで多くの情報を取得できるようになる。しかも、ユーザは、サブ画面に対して所定の操作を行うことにより、情報の流れ方を速めたり、遅めたり、停止させたりすることができる。よって、ユーザは、不要な情報があれば、流れを速めてその情報を飛ばし、重要な情報があれば、流れを遅らせ、あるいは、停止させて、その情報をじっくりと確認することができ、サブ画面上を流れる情報を円滑に取得することができる。
【０１１０】
以上、本発明の実施の形態について説明したが、本発明は上記実施の形態に限定されるものではなく、上記実施の形態も種々の変更が可能である。
【０１１１】
たとえば、上記実施の形態では、携帯電話機を例示して説明を行ったが、ＰＤＡ（Personal Digital Assistant）等の他の携帯端末装置に本発明を適用することも可能である。
【０１１２】
この他、本発明の実施の形態は、特許請求の範囲に示された技術的思想の範囲内において、適宜、種々の変更が可能である。
【図面の簡単な説明】
【０１１３】
【図１】実施の形態に係る携帯電話機の外観構成を示す図
【図２】実施の形態に係る携帯電話機の全体構成を示すブロック図
【図３】実施の形態に係る画面切替えに関する処理フローを示す図
【図４】実施の形態に係る初期画面からの画面切替え例を説明するための図
【図５】実施の形態に係る新着メール情報の表示処理を示すフローチャート
【図６】実施の形態に係る新着メール情報の表示処理例を説明するための図
【図７】実施の形態に係る新着メール情報の表示に追加され得る操作例を示す図
【図８】実施の形態に係る不在着信情報の表示処理を示すフローチャート
【図９】実施の形態に係る不在着信情報の表示処理例を説明するための図
【図１０】実施の形態に係るセキュリティーロックモードの設定・解除操作について説明するための図
【図１１】実施の形態に係るミュージックモードにおける操作について説明するための図
【図１２】実施の形態に係る電話着信時の制御処理を示すフローチャート
【図１３】実施の形態に係る電話着信時に行われる操作例を説明するための図
【図１４】実施の形態に係るスクロール表示における処理を示すフローチャート
【図１５】実施の形態に係るスクロール表示における操作例を説明するための図
【符号の説明】
【０１１４】
２    第２キャビネット（蓋部）
２１    メインディスプレイ
２３    サブディスプレイ（サブ画面表示部）
２４    タッチセンサ（検知部）
１００    ＣＰＵ（表示制御部、機能制御部）
【図１】
2010154099.tif 000003
【図２】
2010154099.tif 000004
【図３】
2010154099.tif 000005
【図４】
2010154099.tif 000006
【図５】
2010154099.tif 000007
【図６】
2010154099.tif 000008
【図７】
2010154099.tif 000009
【図８】
2010154099.tif 000010
【図９】
2010154099.tif 000011
【図１０】
2010154099.tif 000012
【図１１】
2010154099.tif 000013
【図１２】
2010154099.tif 000014
【図１３】
2010154099.tif 000015
【図１４】
2010154099.tif 000016
【図１５】
2010154099.tif 000017